Podtech/llm-jp-corpus-v4-ja_patent huggingface dataset:
(57)【要約】【課題】足の保温及び保護の為に着用する股引と靴下において、股引と靴下の重ね合わさる部分が着用中の着崩れで、股引は上に上がり、靴下は下に下がって、股引と靴下が離れてしまうのを防ぐ手段を提供する。【解決手段】本考案は、股引の長さを膝下８ｃｍ〜１２ｃｍに留め、靴下の長さは膝下かつ脹脛上部の細い部分での股引と靴下の重なる部分の長さが５ｃｍ〜１０ｃｍになるような長さにして、靴下の伸縮力で股引を締め付けつつ靴下自体も脹脛の上部の細い部分でずり落ちないように状態を維持するようにし、この股引と靴下両方を１組のセットにすることを最も主要な特徴とする。【選択図】図１
0003104872.tif 000002
【実用新案登録請求の範囲】
【請求項１】
足の保温及び保護の為に着用する股引と靴下において、股引と靴下の重ね合わせ部分が、朝から晩まで一日着用しても着崩れにより、離れてしまう事のないよう、足の長さに応じて、股引の長さは膝下８ｃｍ〜１２ｃｍにして、靴下の長さは、膝下かつ脹脛上部の細い部分での股引と靴下の重なる部分の長さが５ｃｍ〜１０ｃｍになるような長さにした股引と靴下両方を１組のセットにする。
【考案の詳細な説明】
【技術分野】
【０００１】  本考案は、足の保温及び保護の為に着用する股引と靴下に関するものである。
【背景技術】
【０００２】  冬など寒い時期に屋外で作業する場合、足の保温及び保護の為に着用する股引と靴下は欠かせないものである。また、股引と靴下を着用する時は、股引と靴下を重ね合わせるのが一番暖かいために、出来るだけ合わせるようにして着用している人が多い。【０００３】  しかし、ほとんどの場合、着用している間に膝の屈伸などの体の動きにより股引は上に持ち上がり、足首の動きなどにより靴下は縮んで下がってしまい、股引と靴下の重ね合わ部分はいつのまにか、離れてしまう場合が多い。靴下を長くして重ね合わさる部分の長さを長くしても、余り効果はなく、逆に重なり合う部分が長過ぎて、履き心地が悪くなった。【０００４】  また、市販の股引と靴下は色々なサイズがあり、それぞれ別々に売っている。従って、重ね合わせて履くのに丁度良い長さの股引と靴下を買いたい場合は、股引と靴下の長さを考慮しながら股引と靴下とをそれぞれ別々に買って、丁度良い長さに重ね合わさるか重ね合わさらないかを確かめる必要があり、丁度良い長さに重ね合わさらない場合は、再度買い直す必要も生じた。【０００５】  この改善策としては、これまでほとんど改善らしきものは取られてこなかったのが実情である。股引の下部先端近辺を靴下の色に類似させる考案や、タイツの足首部分に収縮機能を持たせたり踵部分まで長さを伸ばして上への持ち上がりを防ぐ考案はあったが、股引と靴下の重ね合わせ部分の離れを防止するような考案はなかった、その為、この問題はこれまで未解決のままであった。
【特許文献１】実開昭４８−０９５８１４号公報
【特許文献１】実開昭５３−０９９２１６号公報
【考案の開示】
【考案が解決しようとする課題】
【０００６】  解決しようとする問題点は、足の保温及び保護の為に着用する股引と靴下の重ね合わさる部分が着用中の着崩れで、股引は上に上がり、靴下は下に下がって離れてしまうのを防ぐ手段の提供である。
【課題を解決するための手段】
【０００７】  本考案は、股引の長さを膝下８ｃｍ〜１２ｃｍに留め、靴下の長さは膝下かつ脹脛上部の細い部分での股引と靴下の重なる部分の長さが５ｃｍ〜１０ｃｍになるような長さにして、靴下の伸縮力で股引を締め付けつつ靴下自体も脹脛の上部の細い部分でずり落ちないように状態を維持するようにし、この股引と靴下両方を１組のセットにすることを最も主要な特徴とする。
【考案の効果】
【０００８】  本考案の股引と靴下のセットは、着用時に股引と靴下が膝の下から脹脛の最も太い部分の間で５ｃｍ〜１０ｃｍの長さで重なり合う為に、着崩れによる股引と靴下の分離が起きないことにより、足の保温及び保護が長時間保てると言う利点がある。
【考案を実施するための最良の形態】
【０００９】  本考案は、股引と靴下とを重なり合わせて着用した時に、着崩れにより股引と靴下が分離しないように、膝下かつ脹脛上部の細い部分で股引と靴下が長さ５ｃｍ〜１０ｃｍで重なり合うようにした股引と靴下をセットにすることであり、着用時に股引と靴下が膝下かつ脹脛上部の細い部分で長さ５ｃｍ〜１０ｃｍで重なり合うように、着用する人の足の長さに応じた幾つかのサイズと生地などの違いによる数種類のセットを作ることにより実現した。
【実施例１】
【００１０】  図１は、本考案の股引と靴下のセットを着用した時の例であって、膝下かつ脹脛上部の細い部分で長さ５ｃｍ〜１０ｃｍの間で股引の上に靴下が重なり、靴下の伸縮力で股引と靴下が離れ難くなった例である。【００１１】  股引は、膝に下で蕾んだ状態になり、それ自体膝の大きさに引っ掛かる状態になり、上に上がり辛くなっている。【００１２】  靴下は、膝の下まで長い為、脹脛の真ん中で最も伸び、脹脛の上部は細く縮む。
その為、長時間着用しても靴下は下に下がり難くなっている。【００１３】  股引が下に、伸縮力が股引よりも大きい靴下が上に重なるようになっている為、股引はそれ自体の持つ伸縮力以上に足に締め付けられる状態になり、上へは上がり辛くなっている。【００１４】  靴下は、股引の上に重なり合うことにより、股引の厚さの分、靴下が覆う径は大きくなり伸縮力が増し、かつ、接触における摩擦係数も股引と重なり合うことで大きくなる為に、一層下に落ち難くなった。【００１５】  膝下かつ脹脛上部の細い部分で５ｃｍ〜１０ｃｍの長さで股引と靴下が重なるように設定したセットの股引と靴下を着用することで長時間の着用でも着崩れによる股引と靴下の分離が起きない為、股引と靴下を着用している間、足の保温と保護が保てるようになった。【００１６】  図２の実施例は、股引と靴下のセットの構成図である。着用する人の足の長さに応じて股引と靴下の長さがそれぞれ異なる幾つかのセットを準備し、膝下かつ脹脛上部の細い部分で５ｃｍ〜１０ｃｍの長さで股引と靴下が重なるように設定したセットである。【００１７】  上記股引と靴下のセットは、股引の胴回りと股引の股下の長さ、靴下の足のサイズと靴下の踵から上部の長さを明記して市場に提供し、着用人の身体のサイズに合うものを着用して貰うことで着崩れによる股引と靴下の分離が起きないという効果が得られた。
【産業上の利用可能性】
【００１８】  冬季の屋外での作業などでは足の保温及び保護は欠かせない。その為の手段として股引と靴下の着用は軽視できないものがある。一旦着用した股引と靴下が長時間の着用にも耐えて着崩れを起こさず足の保温及び保護を保持し続けるのに、この股引と靴下のセットは利用できる。
【図面の簡単な説明】
【００１９】
【図１】股引と靴下のセットを着用した時の斜視図である。（実施例１）
【図２】股引と靴下のセットの正面図である。（実施例２）
【符号の説明】
【００２０】  １    股引
２    靴下
【図１】
0003104872.tif 000003
【図２】
0003104872.tif 000004
(57)【要約】      （修正有）【課題】読書中、何時でも時刻を確認でき、またアラーム設定により気にせず読書ができスケジュール時間に合わせて行動できる。【解決手段】しおり本体台紙１にアラーム付デジタル時計部２と時間書込みボタンスイッチ３、時刻とアラームタイマー切り替えボタンスイッチ４、決定ボタンスイッチ５、アラームブザー６、ＬＥＤランプ７とで構成されタイマーをセットして読書するとタイマーが動作し０表示でアラームブザー６が鳴りＬＥＤランプ７が点滅して知らせますので時間を気にせず読書ができる。【選択図】図１
0003104595.tif 000002
【実用新案登録請求の範囲】
【請求項１】
アラームデジタル時計付しおり。
【考案の詳細な説明】
【技術分野】
【０００１】  本考案は書籍用“しおり“に薄型アラーム付デジタル時計を組込んだ応用製品に関する。
【背景技術】
【０００２】  上述の形態のアラーム付デジタル時計“しおり”には、本願の出願人が出願中の好きな場所に接着できる接着型デジタル液晶時計板の考案の効果、応用例にある、【０００３】  従来の“しおり”は読書中の書物の間に挟んで目印とするだけの物であり時間を気にしながら読み過ごしによって起きるスケジュール時間の遅れなどの影響があつた。
【考案の開示】
【考案が解決しようとする課題】
【０００４】  本考案は薄型アラーム付デジタル時計を“しおり”への組込みとアラーム時間セット方法の問題を解決しようとする課題。
【課題を解決するための手段】
【０００５】  本考案の供給電源については薄型電池を使用する為に消費電力の少ないカスタム低電圧ＣＭＯＳアラーム付マイクロプロセッサーを利用する、【０００６】  時刻やアラームタイマーの設定はしおり本体台紙の一部に時間書き込み用、時刻とタイマー切り替え用、決定用の３つのスイッチボタンにより操作設定する、【０００７】  薄型で小型の問題は時計機能部、液晶表示部、発信部、アラームメモリー部をカスタムＩＣ化し本体と時計ケースを一体成型製作により小型化とコストダウンを行う、
【考案の効果】
【０００８】  本考案のデジタルタイマー付時計組込み“しおり”により読書中、何時でも時刻を確認でき、またアラーム設定により気にせず読書ができスケジュール時間に合わせて行動でき“しおり”としての利用効果もある、
【考案を実施するための最良の形態】
【実施例】
【０００９】  添付図面に従って実施例を説明する、図１の１しおり本体台紙に２アラーム付デジタル時計部と３時間書込みボタンスイッチ４時刻とアラームタイマー切り替えボタンスイッチ５決定ボタンスイッチ６アラームブザー７ＬＥＤランプとで構成されている、【００１０】  時刻設定にはまず図１の４時刻とアラームタイマー切り替えスイッチで時刻かアラームを選択してから行うが通常は時刻設定にセットされている、
３時間書込みボタンスイッチを押しながら指定したい時間を２アラーム付デジタル時計部に表示し５決定ボタンスイッチを押し設定し次に分単位を３時間書込みボタンスイッチを押しながら指定したい分を２アラーム付デジタル時計部に表示し５決定ボタンスイッチを押して設定し時計の時刻設定は完了です、【００１１】  タイマーアラーム機能データー設定には４時刻とアラームタイマー切り替えスイッチを押してアラームを選択し３時間書込みボタンスイッチを押しながら指定したいアラームタイマー時間を２アラーム付デジタル時計部に表示し５決定ボタンスイッチを押し設定し次に分単位を３時間書込みボタンスイッチを押しながら指定したい分を２アラーム付デジタル時計部に表示し５決定ボタンスイッチを押して設定完了と同時にタイマーが減算を始め０表示になると６アラームブザーが鳴り７ＬＥＤランプが点滅してタイマー終了を知らせる。
【図面の簡単な説明】
【００１２】
【図１】アラームデジタル時計付書籍しおり正面図である、
【符号の説明】
【００１３】１  しおり本体台紙
２  アラーム付デジタル時計部
３  時刻、アラーム時間書込み押しボタンスイッチ
４  時刻、アラーム選択切り替えボタンスイッチ
５  決定ボタンスイッチ
６  アラームブザー
７  ＬＥＤランプ
【図１】
0003104595.tif 000003
(57)【要約】      （修正有）【課題】集合時間を指示することが出来、事故などの緊急時にメモリーされた個人情報、例えば血液型や住所氏名、緊急連絡先電話番号などをコンピューターで読み取ることが出来る団体旅行ツアーワッペンの提供。【解決手段】アラームデジタル時計付団体旅行ツアーワッペンの本体台紙１にアラーム付デジタル時計部２と磁気入出部３とアラームブザー４とＬＥＤランプ５でワッペンは構成され、磁気時刻タイマー書込み個人情報入出機のデジタルスイッチに時刻タイマー切り替えスイッチで選択した時刻か、アラームタイマーの時間データーを入力する。データー入出力スイッチを入側設定し、データー入出部の溝に磁気入出部３をスライドする事でデーターが入力され又アラームタイマー時間を設定しスライドすると自動的に書込みタイマーが動作減算する。０表示終了時にはアラームブザー４とＬＥＤランプ５の点滅でしらせる。その為観光や休憩時間を気にせず旅行が出来、万が一の事故に対してはデーター入出部の溝に磁気入出部３をスライドする事でコンピューターメモリーにある個人情報が個人データー表示液晶表示部１０に読み出され安心して利用できる。【選択図】図１
0003104594.tif 000002
【実用新案登録請求の範囲】
【請求項１】
アラームデジタル時計と個人緊急データー内臓メモリー付団体旅行ツアーワッペン。
【考案の詳細な説明】
【技術分野】
【０００１】  本考案は団体旅行ツアーワッペンに薄型アラームデーターメモリー付デジタル時計を組み込んだ団体旅行ツアーワッペンに関する。
【背景技術】
【０００２】  上述の形態のアラームデジタル時計付団体旅行ツアーワッペンには、本願の出願人が出願中の好きな場所に接着できる接着型デジタル時計板の考案の効果、の応用例にあるデジタル時計付団体旅行ツアーワッペンである。【０００３】  従来の旅行ワッペンは単品で集合時間に対しては添乗員の指示時間にしたがいメモったり各自の時計を見ながら観光するため集合時間の遅れや間違いが多く観光スケジュールに影響があった又、緊急時の個人情報に時間が掛かる。
【考案の開示】
【考案が解決しようとする課題】
【０００４】  本考案は薄型デジタル時計の旅行ワッペンへの組み込みとアラーム時間セット方法や緊急時の血液型や連絡個人情報収集の問題を解決しようとする課題。
【課題を解決するための手段】
【０００５】  本考案の供給電源については薄型電池を使用する為に消費電力の少ないカスタム低電圧ＣＭＯＳでアラーム、データーメモリー付マイクロプロセッサーを利用する、【０００６】  時刻やアラームタイマーの設定や情報の出し入れは専用磁気書込み機の溝に本体台紙の磁気書き込み部をスライドして設定利用する、【０００７】  薄型で小型の問題は時計機能部、液晶表示部、発信部、アラームデーターメモリー部を一体化したカスタムＩＣを製作しコストダウンを行う、
【考案の効果】
【０００８】  本考案のアラーム付デジタル時計団体旅行ワッペンは時計時刻のほか観光時間や休憩時間をセットでき、観光、休憩時間終了時にはアラームブザーとＬＥＤの点滅によって知らせ集合時刻も気にせずに安心でき便利に使用できる又、事故や緊急時には内臓の個人情報データーを取り出して利用できる効果がある。
【考案を実施するための最良の形態】
【実施例】
【０００９】  添付図面に従って実施例を説明する、図１アラームデジタル時計付団体旅行ツアーワッペンは１本体台紙に２アラーム付デジタル時計部と３磁気入出部４アラームブザー５ＬＥＤランプで構成されている、【００１０】  時刻設定には図２磁気時刻タイマー書込み個人情報入出機の８時刻タイマー切り替えスイッチを時刻にセットし６デジタルスイッチに設定したい時刻をセットし７データー入出力スイッチを入り側に設定し図１の３磁気入出部を９データー入出部の溝に入れスライドして時刻設定は完了する、【００１１】  タイマーアラーム機能データー設定には図２磁気時刻タイマー書込み個人情報入出機の８時刻タイマー切り替えスイッチをタイマーにセットし６デジタルスイッチに設定したいタイマー時間をセットし７データー入出力スイッチを入り側に設定し図１の３磁気入出部を９データー入出部の溝に入れスライドしてタイマー設定は完了し同時にタイマーが減算を始め０表示になると４アラームブザーが鳴り５ＬＥＤランプが点滅してタイマー終了を知らせる。【００１２】  また事故などに必要な緊急個人情報はあらかじめ会社のコンピューターで入力された図２磁気時刻タイマー書込み個人情報入出機の７データー入出力切り替えスイッチを出る側に設定し図１の３磁気入出部を９データー入出部の溝に入れスライドして１０個人データー表示液晶部に個人データーが表示され現場で利用できる。
【図面の簡単な説明】
【００１３】
【図１】  アラームデジタル時計付団体旅行ツアーワッペン正面図である。
【図２】  磁気時刻タイマー書込み個人情報入出機正面図である。
【符号の説明】
【００１４】  １  本体台紙
２  アラーム付デジタル時計部
３  磁気入出部
４  アラームブザー
５  ＬＥＤランプ
６  デジタルスイッチ
７  データー入出力切り替えスイッチ
８  時刻タイマー切り替えスイッチ
９  データー入出部
１０  個人データー表示液晶部
【図１】
0003104594.tif 000003
【図２】
0003104594.tif 000004
(57)【要約】      （修正有）【課題】電池ボックス接点端子をスイッチ基板接点端子に直接接点させるスイッチを提供する。【解決手段】電池ボックスの−極接点端子４と＋極接点端子５をスイッチ基板上の接点端子と直接組合せて電流を逆転させるスイッチとすることで、１８０°回転、上下平行移動、中央突起２を中心に右・左に捩る、３種類のスイッチ動作を可能とする。【選択図】図１
0003104599.tif 000002
【実用新案登録請求の範囲】
【請求項１】
（１）の電池ボックスの（４）の−極接点端子（５）の＋極接点端子と（８）のスイッチ基板の（１０）（１１）（１２）（１３）の接点端子を直接組合せて電流を逆転させるスイッチ
【考案の詳細な説明】
【０００１】
〔考案の属する技術分野〕
（イ）この考案は電池ボックス接点端子をスイッチ基板接点端子に直接接点させるスイッチ
（ロ）スイッチ基板の（９）の案内みぞに電池ボックスの（２）の中央突起を移動させ電流方向を変えるスイッチ
（ハ）電池ボックス（２）の突起部を案内みぞ（９）の中央で電池ボックスを回転させ電流方向を変えるスイッチ
【０００２】
〔従来の技術〕
（イ）従来のスイッチは内部構造のわからないブラックボックスである
（ロ）電池ボックスから逆転スイッチまではリード線を延長しての結線である
（ハ）リード線ありなしにかかわりなく別に回転部品が必要であるこれによって接点抵杭の部処が多く作動が不安定である
【０００３】
〔考案が解決しようとする課題〕
これは次のような欠点があった
（イ）スイッチ内部構造がわからないブラックボックスでやみの中にいるようで理解困難のまま次に進む故興味を失っている。
（ロ）電池ボックスからスイッチまでリード線で回路が成立するロスがある
本考案はこの欠点を解決するものである
【０００４】
〔課題を解決するための手段〕
（イ）スイッチ内部の回転子を電池ボディと一体の＋−極接点端子を回転・移動させ電流方向を変えるようにする
（ロ）部品を少なくして接触抵抗箇所を少なくする
（ハ）電池からスイッチまでのリード線で結ぶロスをなくする
【０００５】
〔考案の実施の形態〕
本考案の実施の形態について説明する、スイッチと電池ボックスを一体化したものであるからスイッチ基板上を電池ボックスが平行移動・回転することができるよう基板の中央に案内みぞを作る電池ボックスを正しく動くことのできる突起を必要とする、案内みぞ突起の組合せも重要な要素の一つである
【０００６】
〔考案の効果〕
従来のスイッチは暗中模索で道理がわかりにくかったが本考案はこれを解決するようにしたものである、電気は見ることができないからやみの部分があって思考の発展がなく面白さを半減させていた、本考案によって体得し本当に理解することができ科学技術の向上につながる効果がある
【図面の簡単な説明】
【図１】本考案の電池ボックスの前面図である
【図２】本考案のスイッチ基板の斜視図である
【図３】〔図１〕の１８０°回し電流方向を反転させる回路図
【図４】〔図１〕の平行移動で電流方向を反転させる回路図
【図５】〔図１〕のわずかな回転で電流方向を反転させる回路図
【符号の説明】
１  電池ボックス
２  電池ボックス中央突起
３  電池
４  電池ボックス−極接点端子
５  電池ボックス＋極接点端子
６  輪ゴム
７  輪ゴム固定凹部
８  スイッチ基板
９  案内みぞ
１０  スイッチ基板接点端子
１１  スイッチ基板接点端子
１２  スイッチ基板接点端子
１３  スイッチ基板接点端子
１４  ＯＦＦ点
１５  ＯＦＦ点
１６  モーター
【図１】
0003104599.tif 000003
【図２】
0003104599.tif 000004
【図３】
0003104599.tif 000005
【図４】
0003104599.tif 000006
【図５】
0003104599.tif 000007
【手続補正書】
【提出日】平成15年9月24日(2003.9.24)
【手続補正１】
【補正対象書類名】明細書
【補正対象項目名】実用新案登録請求の範囲
【補正方法】変更
【補正の内容】
【実用新案登録請求の範囲】
【請求項１】
電池ボックス全体をすり動かすこの時−極接点端子（４）と＋極接点端子（５）も連動し（図２）のスイッチ基板接点端子（１０）（１１）（１２）（１３）と組合され（図３）（図４）（図５）の回路を成立させるさらに要約書の解決の手段の矢印のごとく電流を変換させるスイッチ
【手続補正書】
【提出日】平成16年1月9日(2004.1.9)
【手続補正１】
【補正対象書類名】明細書
【補正対象項目名】実用新案登録請求の範囲
【補正方法】変更
【補正の内容】
【実用新案登録請求の範囲】
【請求項１】
スイッチ基板接点端子４個所に銅板をさしこみ冠着した接点端子と、電池ボックス（＋）極接点端子、（−）極接点端子に銅板を冠着した（＋）（−）接点端子を作り、スイッチ基板上に電池ボックス全体を直接すべり動かし連動させる。基板接点端子と電池ボックス（＋）（−）接点端子の組合せによって電流を変換させるスイッチ
【手続補正書】
【提出日】平成16年4月26日(2004.4.26)
【手続補正１】
【補正対象書類名】明細書
【補正対象項目名】実用新案登録請求の範囲
【補正方法】変更
【補正の内容】
【実用新案登録請求の範囲】
【請求項１】
スイッチ基板接点端子４個所に銅板をさしこみ冠着した接点端子と、電池ボックス（＋）極接点端子、（−）極接点端子に銅板を冠着した（＋）（−）接点端子を作り、スイッチ基板上に電池ボックス全体を直接すべり動かし連動させる、基板接点端子と電池ボックス（＋）（−）接点端子の組合せによって電流を変換させるスイッチ
(57)【要約】【課題】風呂の洗い場で使用する椅子を、暖房し且つ廉価で提供する。【解決手段】風呂用椅子１は椅子本体２と椅子本体２に重なる上蓋３を反時計回りに回転させることで椅子本体２と上蓋３は分離し開き分離した椅子本体２の容器部８に湯を満水に注ぎ上蓋３を椅子本体２に重ね時計回りに回転させることで椅子本体２の７と上蓋３の７が交互に噛み合い閉じる上蓋３の座面裏側に湯が直接接触することにより暖房効果を発揮する。【選択図】図２
0003104598.tif 000002
【実用新案登録請求の範囲】
【請求項１】
風呂の洗い場で使用する椅子であり、椅子本体と上蓋座位が一対で、構成されていることを特徴とする風呂用椅子。
【請求項２】
前記椅子本体は、内部にお湯を蓄える容器を内蔵している事を特徴とする、請求項１記載の風呂用椅子。
【請求項３】
前記上蓋座位部中央には、円筒形状に孔が開き椅子本体内容器低部に、接触する位置まで形成されていることを特徴とする請求項１又は請求項２記載の風呂用椅子。
【請求項４】
前記椅子本体と上蓋には、外れ止めが着いている事を特徴とする請求項１記載の風呂用椅子。
【考案の詳細な説明】
【技術分野】
【０００１】本考案は風呂の洗い場で、身体を洗浄する際に、腰掛ける椅子に関するものである。
【背景技術】
【０００２】風呂の洗い場において一般に、使用されている風呂用椅子はプラスチック又は木製で形成されており、腰掛けて身体を洗浄する際、冬期や寒冷地では冷たさを凌ぐためお湯を掛けて使用するが、一時的でありすぐ冷めてしまう。
例えば特開−６１−２３２８２４号に示されるように、座位する天板の下を角パイプ状に仕切り、内部にお湯を通し適度な暖かさを、提供するものもある。
【考案の開示】
【考案が解決しようとする課題】
【０００３】しかしながら前記公報椅子は、形成が複雑であり比較的高価である又内部清掃も比較的困難で、衛生的とは言えず暖房効果も快適とまで言えない。
【課題を解決するための手段】
【０００４】この考案は前記の課題を解決するためのものであり、以下のように構成するものである。椅子本体内部に湯を蓄える容器部を設置し、座面を回転式上蓋とした上下一対であることを特徴とし大きな開口部で湯の入れ替えと、清掃を容易にした風呂用椅子。【０００５】座面中央部に孔を配し孔は円筒形を成し蓋と本体を、重ね合わせた状態で、湯容器底部に接触した上蓋の、脚を兼用している事を特徴とした風呂用椅子。【０００６】本体湯容器上部と上蓋内側下部には、２箇所交互に噛み合う楔を横状にした突起個所を設置し、外れ止めに用いた事を特徴とした風呂用椅子。
【考案の効果】
【０００７】本考案の風呂用椅子は、上記のように構成されていることから、洗い場で椅子に腰掛ける際上蓋を開け、容器部に湯を満たすことにより座位した時快適な暖かさが得られる。【０００８】また形成が簡潔に成されている事により、比較的廉価で提供でき、容器口も広く湯の入れ替えや清掃もしやすく衛生的である。
【考案を実施するための最良の形態】
【０００９】以下図面に示した例に従い本考案を説明すれば、実施形態の風呂用椅子１は図１にしめすように、プラスチック成型された本体２及び上蓋３が、一対になって構成されており２図７に示された楔を横状に成型突出させた個所を、本体２の容器部外側上辺と、上蓋３内側下辺に交差するよう配置することで、２図３を矢印（時計回り）方向に回転させることにより外れ止めの用を成し、１図に示されたように本体２と上蓋３は、一体化し安定する。また１図、２図、３図、４は上蓋３の開孔部を示し、３図４と８に示されるように容器底部まで届く脚部も兼用しており、座面の強度を保持している。
【実施例】
【００１０】２図に示されるように、上蓋３を矢印の逆方向（反時計回り）に回転し、上蓋３を開けお湯を３図８の容器部に満たし本体２に上蓋３を重ね２図３を矢印（時計回り）に回転することで、２図７の位置で停止し１図１に示されるように、一体化した風呂用暖房椅子が構成される。
【産業上の利用可能性】
【００１１】上述のように子供やお年寄りも容易に扱え、湯を入れることにより椅子が温まり、冬期や寒冷地でも充分な暖房効果を提供すると供に、冷めた湯を入れ替えることで節水効果もある。
【図面の簡単な説明】
【００１２】
【図１】  本考案の風呂用椅子を示す全体図
【図２】  図１における本体２と上蓋３を分離した図
【図３】  図１における断面図
【符号の説明】
【００１３】  １、風呂用椅子
２、本体部
３、上蓋部
４、開孔部
５、脚部
６、ゴム脚部
７、上蓋回転開閉止め
８、容器部
９、上蓋安定部
１０、湯
【図１】
0003104598.tif 000003
【図２】
0003104598.tif 000004
【図３】
0003104598.tif 000005
(57)【要約】      （修正有）【課題】幟の折り畳み収納性を簡便かつ安価な手段で大幅に改善するとともに、設営時には従来品と全く同等のシンプルな形態を有し、取扱いの利便性にも優れる幟支持体を提供すること。【解決手段】中空の支柱１の内径より細い外径を有する支持棒２に、軸６を通して取り付けられた屈曲部３を備えた折り畳み可能な幟支持体であって、支持棒２、屈曲部３、はめ込み部４、軸６のすべてが支柱１の中に収納可能であることを特徴とする幟支持体。【選択図】図２
0003104528.tif 000002
【実用新案登録請求の範囲】
【請求項１】
中空の支柱（１）の内径より細い外径を有する支持棒（２）に、軸（６）を通して取り付けられた屈曲部（３）を備えた折り畳み可能な幟支持体であって、支持棒（２）、屈曲部（３）、はめ込み部（４）、軸（６）のすべてが支柱（１）の中に収納可能であることを特徴とする幟支持体。
【考案の詳細な説明】
【技術分野】
【０００１】  本考案は、広告宣伝やスポーツの応援などの際に用いる幟の支持体に関する。
【背景技術】
【０００２】  幟は視認性が良好であることに加え、安価かつ簡便であることから、商業上の広告宣伝のほかスポーツの応援など、幅広く利用されている。従来広く用いられている幟支持体は、例えば図１に示した構造であり、鉛直な支柱（１）とそれと直角に取付けられた吊り棒（５）とからなるが、このような鉤型の構造であるがゆえに、収納時には大変かさ張るという問題があった。そのため従来品の多くは、支柱から吊り棒を取り外せる構造となっているが、取り外すためには煩雑な操作を要するため、幟の設営と組み立てを頻繁に行う必要がある用途においては、大きな問題となっていた。例えば、長距離陸上競技を集団で応援する場合には、幟をもってバス等に乗って移動し、コース上の所定の地点で幟を立てて応援し、また次の地点に移動して再び幟を立てて応援するという行為を頻繁に繰り返す。上述のとおり、従来の幟支持体では簡単に分解することができないので、鉤型のまま幟をバスに積み込むことになり、車内で幟が大変邪魔になることが多くの人々から指摘されており、その解決が強く望まれていた。こうした課題に対し、幟支持体の収納性を改良することを目的とし、吊り棒が折り畳めるようにした考案（実開平６−８２６８６号公報）が開示されている。しかしながら該考案では、折り畳み構造を構築するために複雑な仕組を要し、そのため幟支持体の製作に手間がかかるとともに、製作コストも嵩むという問題があった。しかも、折り畳むための仕組みが様々な突起部を形成するため、引っかかりが生じるなど設営時における取扱い上の難点もあった。
【考案の開示】
【考案が解決しようとする課題】
【０００３】  本考案は、幟の折り畳み収納性を簡便かつ安価な手段で大幅に改善するとともに、設営時には従来品と全く同等のシンプルな形態を有し、取扱いの利便性にも優れる幟支持体を提供することを目的とする。
【課題を解決するための手段】
【０００４】  本考案者は、上記の課題を解決するために鋭意研究した結果、従来の幟支持体にわずかな改造を施すのみで目的が達せられることを見出し、本考案を完成した。本考案は以下のとおりである。
中空の支柱（１）の内径より細い外径を有する支持棒（２）に、軸（６）を通して取り付けられた屈曲部（３）を備えた折り畳み可能な幟支持体であって、支持棒（２）、屈曲部（３）、軸（６）、はめ込み部（４）のすべてが支柱（１）の中に収納可能であることを特徴とする幟支持体。
【考案の効果】
【０００５】  本考案により、従来の幟支持体にわずかな改造を施すのみで、幟の組立と分解の利便性を大幅に改善できる。しかも、設営時は従来品と全く同等のシンプルな形態を有しているため、引っかかりが生じるなどの取扱い上の問題もない。すなわち、本考案により、収納性に優れるのみならず、経済性、意匠性および操作性にも優れる幟支持体を提供することが可能である。また、本考案により幟を瞬時に折り畳み収納できることから、強風による支柱等の破損を未然に防止することが可能となる。
【考案を実施するための最良の形態】
【０００６】  以下、実施例を用いて本考案の最良の形態を詳述するが、本考案は以下の実施例に何ら限定されるものではない。
【実施例】
【０００７】  図１は本考案の幟支持体の設営時の状態を示す斜視図であり、支持棒（２）、屈曲部（３）、はめ込み部（４）、軸（６）のすべてが中空の支柱（１）に収納された状態である。図１が示すとおり、本考案の幟支持体は、設営時においては従来品と全く同等の形態であり、余計な突起部等のないシンプルな構造となることが大きな長所の一つである。図２は、中空の支柱から支持棒（２）、屈曲部（３）、軸（６）、はめ込み部（４）を引き出した状態を示した斜視図である。それぞれの部位の材質は何ら限定されず、炭素鋼、ステンレススチール、アルミニウムなどの金属材料、ポリエチレン、ポリプロピレン、塩化ビニル、アクリル、ポリスチレン、ＡＢＳ、ゴム、ポリアミド、ポリエステル等の樹脂などを適宜用いることができるが、価格と加工性を考慮すると、ポリエチレン、ポリプロピレン、塩化ビニル、ポリアミドなどの汎用樹脂が好適である。但し、軸（６）としては耐久性の観点よりステンレススチール等の金属材料が好ましい。従来の幟支持体も主要な部位が樹脂で構成されているものが多いので、その基本構造を利用してわずかな改造を施せば、本考案の最良の形態を容易に具現化することができる。この点も本考案の大きな長所の一つである。はめ込み部（４）は、中空の支柱（１）にはめ込まれる部分であるが、それらのはめ合いは、人が簡単に外すことができる範囲とすることはもとよりであるが、設営時に風などの影響で外れることがないよう、できるだけきつくしておくことが好ましい。はめ合いを調整する方法に制限はないが、はめ込み部にテーパーをつける方法や、部分的に盛り上がりをつける方法などがあげられる。図３は、本考案の幟支持体を折り曲げた状態を示した斜視図である。実際の設営時においてはこれに幟が取付けられており、幟（７）と吊り棒（５）が一緒に折り畳まれた状態となる。その状態で幟（７）を紐やマジックテープ（８）などで結束できるようにしておけば、収納性はさらに良好となる。本考案の幟支持体は、はめ込み部（４）を中空の支柱から外して引き上げた後、軸を中心として屈曲部を折り曲げることによって瞬時に図３の状態にすることができる。これも本考案の大きな長所の一つである。
【図面の簡単な説明】
【０００８】
【図１】本考案の幟支持体の設営時の状態を示す斜視図である。
【図２】本考案の幟支持体の支持棒（２）、屈曲部（３）、はめ込み部（４）、軸（６）を、中空の支柱（１）から引き出した状態を示す斜視図である。
【図３】本考案の幟支持体を折り曲げた状態を示す斜視図である。
【符号の説明】
【０００９】１  支柱
２  支持棒
３  屈曲部
４  はめ込み部
５  吊り棒
６  軸
７  幟
８  紐またはマジックテープ
【図１】
0003104528.tif 000003
【図２】
0003104528.tif 000004
【図３】
0003104528.tif 000005
(57)【要約】【課題】  小型動物ペット用寝具をペットに対する毒性の微弱な非揮発性薬剤で処理することにより、ダニやノミを卵や幼虫の段階で駆除する。【解決手段】  ペット用寝具を構成する天然繊維あるいは合成繊維をホウ酸塩処理する。【選択図】図２
0003104525.tif 000002
【実用新案登録請求の範囲】
【請求項１】
ペット用寝具を構成する天然繊維あるいは合成繊維の一部または全部がホウ酸塩処理されていることを特徴とするペット用寝具
【考案の詳細な説明】
【技術分野】
【０００１】  この考案は、犬、猫など小型動物ペットを対象とする、ノミやダニの繁殖しにくい寝具に関するものである。
【背景技術】
【０００２】  小型動物ペットのノミやダニの駆除には従来殺虫剤が使用されているが、殺虫剤の屋内での噴霧はペットや人間にとっても有害であり、また寝具内に産み付けられた卵や幼虫に対する効果は少ない。
【考案が解決しようとする課題】
【０００３】  小型動物ペットのノミやダニを制御する一つの方法は、これらの害虫の繁殖媒体である寝具をペットに対する毒性が微弱で、かつ、非揮発性の薬剤で処理することにより、害虫を卵や幼虫の段階で駆除することである。
【課題を解決するための手段】
【０００４】  本考案者は、種々の可能性を検討した結果、ペット用寝具を構成する天然繊維あるいは合成繊維の一部または全部をホウ酸塩処理することが効果的であることを見出した。
【０００５】  本考案でいう寝具とは、その上または中でペットが眠るもので、整形したふとん綿をふとん側で包み込んだ平面的なマット状のもの、ペットがある程度周囲から隔離されるように、平坦なマットの周囲を高目の縁で囲んだもの、藁をかご状に編んだいわゆるネコちぐらのようなもの、藺草や紙製の薄べり、紙や不織布製のものなど広範囲の製品を含む。
【０００６】  本考案でいうホウ酸塩とは、ホウ素のオキシ酸塩の総称で、特にオルトホウ酸、ホウ砂、八ホウ酸二ナトリウムあるいはこれらの混合物である。ホウ酸塩処理とは物理的、化学的手段で繊維にホウ酸塩を含浸あるいは付着させることである。繊維に対するホウ酸塩の添加量は、ホウ素換算で０．０５重量％以上が望ましい。
【作用】
【０００７】  本考案の小型動物ペット用寝具では、繊維に含浸あるいは付着したホウ酸塩が水分を介してダニやノミの卵に浸透し、卵の孵化率を低下する。
【０００８】  また、ダニやノミの幼虫の餌となる動物の皮膚屑、あか、食物のくず、成虫の糞などにも繊維に含浸あるいは付着したホウ酸塩が拡散浸透し、これらを摂食した幼虫は死滅する。ホウ酸塩は、ノミやダニに対し強い毒性を持つが、哺乳動物では腎臓の浄血作用により過剰のホウ酸塩は尿として排出されるため毒性は微弱である。
【実施例】
【０００９】  以下、本考案の小型動物ペット用寝具の実施例について説明する。図１は、１００ｃｍ×８０ｃｍのふとんである。ふとん綿は、木綿とポリエステル繊維を等量混合したふとんわたをホウ酸水溶液に浸漬後、脱水・乾燥したもので、ホウ素含有率は０．４重量％である。ふとん側は木綿布である。このふとんをペットの寝具とした場合、ペットの体についたノミが、ふとんに卵を産み付けても、ホウ酸塩の作用で卵が成虫にまで生育することはない。【００１０】  図２は、ポリエステル繊維、木綿、羊毛を等量混合した詰め物をウールの織物で包んだ円形の犬用ベッドで、周囲に縁が施されている。成形後、八ホウ酸二ナトリウム四水和物の８％溶液を周囲から出来るだけ均一に、繰り返し散布、乾燥した。全重量に対するホウ素含有率は、平均値で０．２５％である。飼い犬についたノミやダニは、ベッド内部に産卵するが、卵の孵化や幼虫の発育が阻止されるため、これら害虫は、成虫が死ぬにつれて自然に消滅する。
【産業上の利用可能性】
【００１１】本考案のペット用寝具は、ペットがそこで寝るだけで、ペットについたダニやノミの繁殖を抑える効果がある。また、従来の殺虫剤噴霧と異なりペットの健康を損ねる可能性もなく、同居する飼い主の衛生環境も保持される。
【図面の簡単な説明】
【００１２】
【図１】本考案の座布団状寝具の斜視図である。
【符号の説明】
１はふとん側
２はふとん綿
【図２】
本考案の円形で高めの縁のあるペット用寝台である。
【符号の説明】
１は縁
２は中央の平面部
【図１】
0003104525.tif 000003
【図２】
0003104525.tif 000004
(57)【要約】      （修正有）【課題】Ｘ線防護衣において、被覆部における胸部箇所に乳房を包みいれることが可能な乳房受け部を設けたことにより、女性が着用した際に、両脇部が開くことなく、身体全体に頗る良好に密着し、Ｘ線防護の完全を期すことが可能となるものである。【解決手段】表面布の内部にシート状遮蔽材が介在されるＸ線防護衣において、表面布を立体裁断縫着すると共に、遮蔽材を立体裁断接着することにより、Ｘ線防護衣本体被服部に乳房受け部を設けたことを特徴とするものである。【選択図】図２
0003104523.tif 000002
【実用新案登録請求の範囲】
【請求項１】
表面布の内部にシート状遮蔽材が介在されるＸ線防護衣において、
表面布を立体裁断縫着すると共に、遮蔽材を立体裁断接着することにより、Ｘ線防護衣本体被覆部に乳房受け部を設けたことを特徴とするＸ線防護衣。
【考案の詳細な説明】
【技術分野】
【０００１】
本考案は、主として医療関係者がＸ線防護のために着用するＸ線防護衣に関するものであり、詳細には、女性が着用する際にＸ線防護の完全を図るエプロンタイプのＸ線防護衣に関するものである。
【背景技術】
【０００２】
従来より、着用者の身体前面を被覆することによりＸ線の被曝を防ぐエプロンタイプのＸ線防護衣が提供されている。（例えば、非特許文献１参照。）
【０００３】
【非特許文献１】株式会社保科製作所Ｘ線防護用品カタログ  ３〜１０頁
【考案の開示】
【考案が解決しようとする課題】
【０００４】
しかしながら、上記した従来提供されているＸ線防護衣は、着用者の身体前面を被覆するＸ線防護衣本体被覆部が平面的形態となっており、Ｘ線防護衣の表面布ならびに遮蔽材に何ら立体加工を施していなかった。
【０００５】
このようなＸ線防護衣では、女性、殊に乳房の大きい女性が着用した場合、乳房のふくらみにより本体被覆部が凸状に引っ張られるため、いきおい防護衣が両脇部において大きく開いてしまい身体に密着できず、Ｘ線防護の完全を期しがたい、という問題点があった。
【課題を解決するための手段】
【０００６】
本考案は上記の課題に鑑みなされたものであり、
表面布の内部にシート状遮蔽材が介在されるＸ線防護衣において、
表面布を立体裁断縫着すると共に、遮蔽材を立体裁断接着することにより、Ｘ線防護衣本体被服部に乳房受け部を設けたことを特徴とするものである。
【考案の効果】
【０００７】
本考案は、Ｘ線防護衣において、被覆部における胸部箇所に乳房を包みいれることが可能な乳房受け部を設けたことにより、女性が着用した際に、両脇部が開くことなく、身体全体に頗る良好に密着し、Ｘ線防護の完全を期すことが可能となる。
【考案を実施するための最良の形態】
【０００８】
本考案の実施の形態を図面に基づき説明する。
【０００９】
図１〜図７は、本考案の実施例を示す図であり、図１は本考案の裁断方法を示す図、図２は本考案の一実施例を示す正面図、図３は本考案の一実施例を示す側面図、図４は本考案における表面布の縫着方法を示す図、図５は本考案における遮蔽材の接着方法を示す図、図６は本考案における表面布と遮蔽材を示す図、図７は本考案の一実施例の使用状態を示す図である。
【００１０】
表面布（１）は、例えばフッ素樹脂コーティングが施されたポリウレタンの素材が用いられ、着用者の身体前面を被覆することが可能となるように、被覆部を適宜の形状に成形するものである。
【００１１】
なお、図２〜図３において示した実施例のように、例えば両肩部から端部に係着テープ（Ｍ）を備えるベルト部（Ｂ）を設け、これを背面で交差させ、係着テープを備える防護衣本体前面部で係着させることにより、簡易に着用者の身体全体を包み込むことが可能なエプロンタイプのＸ線防護衣となる。
【００１２】
シート状遮蔽材（２）は、例えば、無鉛素材や含鉛素材が用いられ、図７に示すように、表面布（１）と共に防護衣本体周縁部において縫着することにより表面布（１）の内部に介在されることになる。
【００１３】
本考案は、女性用として乳房受け部を設けるため、表面布（１）ならびに遮蔽材が（２）立体裁断され、それらを縫着、接着させることにより、構成されるものである。
【００１４】
以下、乳房受け部の製造過程の詳細を説明する。
【００１５】
図１に示したように、Ｘ線防護衣本体の両脇部の曲線状切りこみ線略中心箇所から防護衣本体中心部に向かって、乳房のふくらみに相応するように略半円状に裁断したうえで、略直線状に防護衣本体下端部まで裁断する。
【００１６】
なお、図１においては表面布の裁断を示したが、上記裁断は、表面布（１）と遮蔽材（２）の双方に施されるものである。
【００１７】
裁断された表面布（１）は、それぞれの布地（図１においては（１Ａ）と（１Ｂ））の裁断箇所を、図４に示すように端部において重合し縫着する。図中の点線は縫着ラインを説明的に示したものである。
【００１８】
なお、図２〜図３における破線は、表面布（１）の縫い目を示すものである。
【００１９】
遮蔽材（２）は、表面布のように縫着することも可能であるが、Ｘ線防護の完全性を期すことから、いたずらに穴を開けることは好ましくなく、裁断した遮蔽材（２）を図５に示すように、それぞれの遮蔽材（図５においては（２Ａ）と（２Ｂ））の裁断箇所を端部において接着剤を介して接着する方法が好ましい。
【００２０】
本考案は、上記に記述したように、表面布（１）と遮蔽材（２）の立体裁断したうえで縫着、接着をなすことにより、被覆部に乳房の形状に相応した乳房受け部を設けることが可能となる。
【図面の簡単な説明】
【００２１】
【図１】本考案の裁断方法を示す図
【図２】本考案の一実施例を示す正面図
【図３】本考案の一実施例を示す側面図
【図４】本考案における表面布の縫着方法を示す図
【図５】本考案における遮蔽材の接着方法を示す図
【図６】本考案における表面布と遮蔽材を示す図
【図７】本考案の一実施例の使用状態を示す図
【符号の説明】
【００２２】
１    表面布
２    遮蔽材
Ｂ    ベルト部
Ｍ    係着テープ
【図１】
0003104523.tif 000003
【図２】
0003104523.tif 000004
【図３】
0003104523.tif 000005
【図４】
0003104523.tif 000006
【図５】
0003104523.tif 000007
【図６】
0003104523.tif 000008
【図７】
0003104523.tif 000009
(57)【要約】【課題】  ボルトやナットによる構造材の締め付けは、施工完了時には十分な締め付け力を有するものの、長期にわたる使用期間の中では気付かないうちに締め付けゆるみが発生するような潜在的な危険性があった。【解決手段】  締め付けゆるみが発生することにより位相が生じるボルト及びナットの接合部分に割り符状の監視用シールを貼り付ける。ボルト及びナットにゆるみが生じる場合は、当初は連続する模様として貼り付けられたシールが位相の分だけズレを生じるので、点検者は目視により監視を行うことが可能である。  この考案は、これまでは労力を要していたボルト及びナットの締め付けゆるみの監視を目視に換えて行うことを可能としたもので、精度の高いチェック機能の確立と大幅な労力の削減を実現するものである。【選択図】  図１
0003104529.tif 000002
【実用新案登録請求の範囲】
【請求項１】
（イ）  ボルト及びナットが接合するそれぞれの正面位置の形状に合わせて貼り付けることのできる形状を有するシール（１）及びシール（２）
（ロ）  上記の二枚のシールは連続する割り符状の模様図形を有する
以上のように構成されたボルトナットの締め付けゆるみの監視用シール
【請求項２】
（イ）  雌ネジを有する構造材の基盤面及びボルトが接合する正面位置にボルトの外周の基盤面に合わせて貼り付けることのできるシール（３）及びボルトの笠の形状に合わせて貼り付けることのできる形状を有するシール（４）
（ロ）  上記の二枚のシールは連続する割り符状の模様図形を有する
以上のように構成されたボルトの締め付けゆるみの監視用シール
【考案の詳細な説明】
【技術分野】
【０００１】  この考案は、ボルトやナットの締め付けゆるみをチェックする監視用シールに関するものである。
【背景技術】
【０００２】  ボルトやナットによる構造材の締め付けは、施工完了時には十分な締め付け力を有するものの、長期にわたる使用期間の中では気付かないうちに締め付けゆるみが発生するような潜在的な危険性があった。
【考案の開示】
【考案が解決しようとする課題】
【０００３】  この考案は、上記の課題を解決しようとするもので、ボルトやナットの締め付けゆるみを目視によりチェックすることができる監視用シールを提供するものである。
【課題を解決するための手段】
【０００４】  締め付けゆるみが発生することにより位相が生じるボルトとナット、あるいは雌ネジを有する構造材の基盤面とボルトにおいて、接合部分の正面位置に割り符状の監視用シールを貼り付けて、発生する締め付けゆるみの変化を目視によりチェックできる考案品を提供する。
【考案の効果】
【０００５】  この考案は、これまでは手作業で行っていたボルトやナットの締め付けゆるみの検査を目視に換えて行うことを可能とするもので、精度の高いチェック機能の確立と大幅な労力の削減を実現した。
【考案を実施するための最良の形態】
【０００６】  以下、〔請求項１〕を〔図１〕に参照して説明する。
ボルトの断面形状を有するシール（１）はボルトの先端に貼り付ける用に供し、ナットの正面位置の形状を有するシール（２）はナットの正面に貼り付ける用に供する。
（１）及び（２）の表面には、〔図１〕に例示するように、（１）及び（２）に連続する割り符状の模様図形を印刷して監視の用に供する目印とする。また、裏面は簡易に貼り付けることができるように接着機能を有する構造とする。【０００７】  次に、〔請求項２〕を〔図２〕に参照して説明する。
雌ネジを有する構造材の基盤面にボルトを締め付ける場合には、シール（３）はボルトの外周の基盤面に合わせてドーナツ状に貼り付ける用に供し、ボルトの笠の形状を取るシール（４）はボルトの笠の先端に貼り付ける用に供する。（３）及び（４）の模様図形、及び仕様は〔請求項１〕に順じる。
【実施例】
【０００８】  ボルトやナットに締め付けゆるみが生じる場合は、当初は連続する模様として貼り付けられたシール（１）及びシール（２）、もしくはシール（３）及びシール（４）がゆるみで生じた位相の分だけズレを生じるので、点検者は目視を行うだけで監視の目的を達成することができる。【０００９】  作業時において、ボルトやナットの締め付けが完了した後にこの考案のシールを貼り付けるように規定しておけば、締め付けを忘れる等の事故が発生する恐れを防止することができる。
また、複数の色からなる監視用シールを用いれば、使用する時期と色とを管理することにより、最終の締め付け確認の時期を特定することも可能である。
【産業上の利用可能性】
【００１０】  この考案は、ボルトやナットの締め付けゆるみを早期に発見しようとするもので、ボルトやナットを使用する機械工作物等の適正な管理に寄与するものである。
【図面の簡単な説明】
【００１１】
【図１】ボルト及びナットに貼り付ける監視用シールの平面図
【図２】構造材の基盤面に設けられた雌ねじにボルトを締め付ける場合の監視用シールの平面図
【符号の説明】
【００１２】  １：ボルトに貼り付ける監視用シール
２：ナットに貼り付ける監視用シール
３：基盤面に貼り付ける監視用シール
４：ボルトに貼り付ける監視用シール
【図１】
0003104529.tif 000003
【図２】
0003104529.tif 000004
(57)【要約】【課題】  ストールと上着の機能を持ち合わせ、軽量化と運動性、保温、紫外線防止を兼ね備え、持ち運びを便利にする。【解決手段】  軽量で、保温性の優れた、正方形又は、長方形（帯状）布（幅５０ｃｍ〜１２０ｃｍ、長さ１２０ｃｍ〜１７０ｃｍ）の左右両端を２０ｃｍ〜４０ｃｍ縫着し、両先端より２ｃｍ〜１０ｃｍ部分にシャーリングを施す。【選択図】図１
0003104527.tif 000002
【実用新案登録請求の範囲】
【請求項１】
正方形又は、長方形（帯状）の布の左右両端を筒形状に縫着し腕を通す事ができ、又、左右両先端付近にシャーリングを施し腕を通した時に運動によってずれない様にする事を特徴とした多目的ストールです。
【考案の詳細な説明】
【技術分野】
【０００１】本考案は、正方形又は、長方形（帯状）布の両端に腕を通す部分を設け、シャーリングを施したストールに関するものである。
【背景技術】
【０００２】自動車に乗っている時や、外出時、直射日光の強い場所で肌を焼きたく無い場合、屋内外の温度が低い場所では本来の着衣以外の上着や上掛けを用意してた。
【考案の開示】
【考案が解決しようとする課題】
【０００３】本来の着衣以外に、上着や上掛けなどを持ち歩く事は、荷物の量が多くなり外出時の負担である。従って、ストールと上着の機能を持ち合わせ、軽量化し持ち運びを便利にする事で紫外線を防ぎ、防寒の問題を解決しようとするものです。
【課題を解決するための手段】
【０００４】本考案は、正方形又は、長方形（帯状）布の左右両端を縫着し、さらに両先端部分にシャーリングを施し、腕の運動能力を高め、又、布を軽量かつ保温性に優れた物を使用する事により問題を解決している。
【考案の効果】
【０００５】上述の様に、本考案の多目的ストールは、従来のストールに加工を施す事により運動能力を高めると共に、コンパクトになる事で、持ち運びに便利になり、屋内外を問わず、紫外線防止、保温に役立つ。
【考案を実施するための最良の形態】
【０００６】軽量で保温性の優れた、正方形又は、長方形（帯状）布（幅５０ｃｍ〜１２０ｃｍ、長さ１２０ｃｍ〜１７０ｃｍ）の左右両端を２０ｃｍ〜４０ｃｍ縫着し、先端より２ｃｍ〜１０ｃｍ部分にシャーリングを施す。
【実施例】
【０００７】以下、添付図面に従って実施例を説明する。図１−１は軽量で保温に優れ紫外線を防ぐ生地を使用、図１−２は筒状に縫着、図１−３はシャーリング加工を施す。
【産業上の利用可能性】
【０００８】オフィス、所内での制服としての利用、縫製工場での一括生産。
【図面の簡単な説明】
【０００９】
【図１】本考案の正面図
【符号の説明】
【００１０】      １  ストール本体
２  縫着部分
３  加工部分
【図１】
0003104527.tif 000003